(57)【要約】【課題】足場を踏み外すことなく作業を行うための建築足場用幅木を提供すること。【解決手段】所定間隔をおいて配置された支柱１１間に配置される長尺に形成された幅木本体２と、同幅木本体２に同支柱１１とそれぞれ係合可能な少なくとも第１及び第２の２つの係合部材５及び１０とを備え、同第２の係合部材の開口部を同幅木本体２側を向くように配置させるとともに、同第１の係合部材の開口部を同第２の係合部材１０の開口部と略直交する方向に配置させ、同第１の係合部材５には同支柱１１と係合した状態で同第１の係合部材５の同支柱１１からの離間を不能とするロック部材を併設するようにした。【選択図】        図８
2004156396.tif 000002
【特許請求の範囲】
【請求項１】
所定間隔で立設配置された複数の支柱と、同支柱と交差するように配設された複数の梁部材と、同梁部材又は同支柱に対して架設された通路用の踏み板とから基本的骨格が構築された建築足場における前記踏み板の縁部に沿った足元位置に配置される建築足場用幅木において、
所定間隔をおいて配置された第１及び第２の前記支柱間に配置される長尺に形成された幅木本体と、
同幅木本体の長手方向の両側端部又は両側端部付近に同第１及び第２の支柱とそれぞれ係合可能な少なくとも第１及び第２の２つの係合部材とを備え、
前記第２の係合部材の開口部を前記幅木本体側を向くように配置させるとともに、前記第１の係合部材の開口部を同第２の係合部材の開口部と略直交する方向に配置させ、同第１の係合部材には前記支柱と係合した状態で同第１の係合部材の同支柱からの離間を不能とするロック部材を併設するようにしたことを特徴とする建築足場用幅木。
【請求項２】
所定間隔で立設配置された複数の支柱と、同支柱と交差するように配設された複数の梁部材と、同梁部材又は同支柱に対して架設された通路用の踏み板とから基本的骨格が構築された建築足場における前記踏み板の縁部に沿った足元位置に配置される建築足場用幅木において、
所定間隔をおいて配置された第１及び第２の前記支柱間に配置される長尺に形成された幅木本体と、
同幅木本体の長手方向の両側端部又は両側端部付近に同第１及び第２の支柱とそれぞれ係合可能な少なくとも第１及び第２の２つの係合部材とを備え、
前記第１の係合部材の開口部を前記幅木本体側を向くように配置させるとともに、前記第２の係合部材の開口部を同第１の係合部材の開口部と略同一方向を向いて配置させ、いずれか一方の同係合部材には前記支柱と係合した状態で同係合部材の同支柱からの離間を不能とするロック部材を併設するようにしたことを特徴とする建築足場用幅木。
【請求項３】
所定間隔で立設配置された複数の支柱と、同支柱と交差するように配設された複数の梁部材と、同梁部材又は同支柱に対して架設された通路用の踏み板とから基本的骨格が構築された建築足場における前記踏み板の縁部に沿った足元位置に配置される建築足場用幅木において、
所定間隔をおいて配置された第１及び第２の前記支柱間に配置される長尺に形成された幅木本体と、
同幅木本体の長手方向の両側端部又は両側端部付近に同第１及び第２の支柱とそれぞれ係合可能な少なくとも第１及び第２の２つの係合部材とを備え、
前記両係合部材には前記支柱と係合した状態で同係合部材の同支柱からの離間を不能とするロック部材をそれぞれ併設するようにしたことを特徴とする建築足場用幅木。
【請求項４】
前記いずれか一方の側端部又は側端部付近に配設された前記第１及び第２の係合部材のいずれか一方に対して、いずれか他方の係合部材はいずれか他方の側端部の前記一方の係合部材の配置位置よりも下部側に配置されることを特徴とする請求項１〜３のいずれかに記載の建築足場用幅木。
【請求項５】
前記幅木本体下部から前記踏み板上に載置される側方に張り出し形成された張り出し部が形成されていることを特徴とする請求項１〜４のいずれかに記載の建築足場用幅木。
【発明の詳細な説明】
【０００１】
【発明の属する技術分野】本発明は、建築現場等に仮設される足場に配設される建築足場用幅木に関するものである。
【０００２】
【従来の技術】一般に建築現場等に仮設される足場は、所定の間隔で立設された支柱と、梁部材（手摺り、ブラケット等）とを縦横に組み合わせ梁部材に踏み板を架設することで基本的骨格が構築されている。作業者はこの踏み板上で作業をし、また踏み板上を移動する。
【０００３】
【発明が解決しようとする課題】しかしながら、作業者が作業中に踏板上で足の位置を動かす場合や踏板を移動する場合に必ずしも足下を注視しているわけではない。むしろ作業に没頭すれば足下はそれほど気にせずに踏み板上で行動することが多いといえる。その場合に思わず踏み板の外側に足を踏み外してしまうような場合がある。足場には支柱や手摺りがあるため作業者が落下するわけではないが、体勢が崩れて物が落下したりする原因ともなる。また、作業者の心理的にもこのような踏み外しがあると思うと作業に没頭できない可能性もある。
本発明は、上記課題を解決するためのものである。その目的は、足場を踏み外すことなく作業を行うための建築足場用幅木を提供することにある。
【０００４】
【課題を解決するための手段】上記課題を解決するために、請求項１の発明では所定間隔で立設配置された複数の支柱と、同支柱と交差するように配設された複数の梁部材と、同梁部材又は同支柱に対して架設された通路用の踏み板とから基本的骨格が構築された建築足場における前記踏み板の縁部に沿った足元位置に配置される建築足場用幅木において、所定間隔をおいて配置された第１及び第２の前記支柱間に配置される長尺に形成された幅木本体と、同幅木本体の長手方向の両側端部又は両側端部付近に同第１及び第２の支柱とそれぞれ係合可能な少なくとも第１及び第２の２つの係合部材とを備え、前記第１の係合部材の開口部を前記幅木本体側を向くように配置させるとともに、前記第２の係合部材の開口部を同第１の係合部材の開口部と略直交する方向に配置させ、同第２の係合部材には前記支柱と係合した状態で同第２の係合部材の同支柱からの離間を不能とするロック部材を併設するようにしたことをその要旨とする。
このような構成において建築足場用幅木を踏み板の縁部に沿った足元位置に配置させる場合には幅木本体の一端側の第１の係合部材をまず第１の支柱に係合させ、他端側の第２の係合部材を第２の支柱の側方から第２の支柱に接近させて係合させる。そして、ロック部材によって第２の係合部材が第２の支柱から離間できないようにロックする。この状態ではロック部材が併設されていない第１の係合部材も幅木本体がつっかい棒となって第１の支柱から離間できないようになるため、結果として建築足場用幅木を固定することができる。
【０００５】
請求項２の発明では、所定間隔で立設配置された複数の支柱と、同支柱と交差するように配設された複数の梁部材と、同梁部材又は同支柱に対して架設された通路用の踏み板とから基本的骨格が構築された建築足場における前記踏み板の縁部に沿った足元位置に配置される建築足場用幅木において、所定間隔をおいて配置された第１及び第２の前記支柱間に配置される長尺に形成された幅木本体と、同幅木本体の長手方向の両側端部又は両側端部付近に同第１及び第２の支柱とそれぞれ係合可能な少なくとも第１及び第２の２つの係合部材とを備え、前記第１の係合部材の開口部を前記幅木本体側を向くように配置させるとともに、前記第２の係合部材の開口部を同第１の係合部材の開口部と略同一方向を向いて配置させ、いずれか一方の同係合部材には前記支柱と係合した状態で同係合部材の同支柱からの離間を不能とするロック部材を併設するようにしたことをその要旨とする。
このような構成において建築足場用幅木を踏み板の縁部に沿った足元位置に配置させる場合には第１及び第２の係合部材の開口部をそれぞれ第１及び第２の支柱に向き合わせ同時に第１及び第２の支柱に係合させる。そして、ロック部材によっていずれかの係合部材がいずれかの支柱から離間できないようにロックする。この状態ではロック部材が併設されていない第１の係合部材も幅木本体がつっかい棒となって支柱から離間できないようになるため、結果として建築足場用幅木を固定することができる。
【０００６】
請求項３の発明では、所定間隔で立設配置された複数の支柱と、同支柱と交差するように配設された複数の梁部材と、同梁部材又は同支柱に対して架設された通路用の踏み板とから基本的骨格が構築された建築足場における前記踏み板の縁部に沿った足元位置に配置される建築足場用幅木において、
所定間隔をおいて配置された第１及び第２の前記支柱間に配置される長尺に形成された幅木本体と、
同幅木本体の長手方向の両側端部又は両側端部付近に同第１及び第２の支柱とそれぞれ係合可能な少なくとも第１及び第２の２つの係合部材とを備え、
前記両係合部材には前記支柱と係合した状態で同係合部材の同支柱からの離間を不能とするロック部材をそれぞれ併設するようにしたことをその要旨とする。このような構成において建築足場用幅木を踏み板の縁部に沿った足元位置に配置させる場合には第１及び第２の係合部材を第１及び第２の支柱にそれぞれ係合させる。そして、ロック部材によってそれぞれの係合部材を第１及び第２の支柱から離間できないようにロックする。
【０００７】
請求項４の発明では、請求項１〜請求項３のいずれかの発明の構成において、前記いずれか一方の側端部又は側端部付近に配設された前記第１及び第２の係合部材のいずれか一方に対して、いずれか他方の係合部材はいずれか他方の側端部の前記一方の係合部材の配置位置よりも下部側に配置されることをその要旨とする。
このような構成では請求項１〜請求項３のいずれかの発明の作用に加え、次々と建築足場用幅木を踏み板の縁部に沿って配設する場合に係合部材が上下方向にずれて係合することとなるため隣接する建築足場用幅木の第１及び第２の係合部材を共通する支柱に係合させることが可能となる。
請求項５の発明では、請求項１〜請求項４のいずれかの発明の構成において、前記幅木本体下部から前記踏み板上に載置される側方に張り出し形成された張り出し部が形成されていることをその要旨とする。
このような構成では請求項１〜請求項４のいずれかの発明の作用に加え、建築足場用幅木は載置される踏み板上に張り出し部によって支持されることとなる。
【０００８】
【発明の効果】
上記請求項１又は２に記載の発明のように構成すれば、作業者は足場を踏み外すことなく作業を行うことができるとともにロック部材がいずれか一方の係合部材のみに併設されているにも関わらず建築足場用幅木をセットできるため作業効率が向上する。
上記請求項３に記載の発明のように構成すれば、作業者は足場を踏み外すことなく作業を行うことができるとともにロック部材が両方の係合部材に併設されているため、確実に建築足場用幅木をセットすることができる。
請求項４に記載の発明では請求項１〜３のいずれかの発明の効果に加え、隣接する建築足場用幅木の第１及び第２の係合部材を共通する支柱に係合させることが可能となる。
請求項５に記載の発明では請求項１〜４のいずれかの発明の効果に加え、建築足場用幅木は踏み板上において張り出し部によってしっかりと支持されることとなる。
【０００９】
【発明の実施の形態】以下、本発明の具体的な実施の形態を図面に基づいて説明する。
（実施の形態１）
尚、以下の説明において前方または表とは図１における左方向を、後方または裏とは同図における右方向を言うものとする。また、左とは図２における上方向を、右とは同図における下方向を、上とは同図における右方向を、下とは同図における左方向を言うものとする。
図１〜図５に示すように、建築足場用幅木（以下、単に幅木という）１は所定の厚みの長方形形状の背板部３と同じく長方形形状の底板部４からなる金属製のＬ字形状の幅木本体２を備えている。底板部４は背板部３の下端に同背板部３に対して直行するように前方に向かって延出されている。
幅木本体２の背板部３の左上端部には所定の支柱と係合するための係合部材としての第１のフック部材５およびロック部材としてのロック板６が配設されている。
金属製の第１のフック部材５は、板体の一部を弓状に曲げた湾曲形状とされ、開口部５ａを前方方向に向けた状態で背板部３の左上端部の裏面に溶接によって固着されている。同湾曲部分は内周面の曲率が所定の支柱の外周面と略同一とされている。また、同湾曲部分の先端上部には切欠き７が形成されている。
金属製のロック板６は、第１のフック部材５との間で背板部３を挟むようにして背板部３の表面に背板部３と平行に配設されている。また、ロック板６は六角ボルト８及び六角ナット９によって回動自在に支持されている。
背板部３の右下端部には所定の支柱と係合するための係合部材としての第２のフック部材１０が配設されている。金属製の第２のフック部材１０は板体の一部をＵ字形状に曲げた湾曲形状とされ開口部１０ａを左方向に向けた状態で背板部３の右下端部の裏面に溶接によって固着されている。すなわち、第１及び第２のフック部材５，１０の２つの開口部５ａ，１０ａの向きは略９０度ずれて配置されることとなっている。同湾曲部分は内周面の曲率が所定の支柱の外周面と略同一となっている。
第１のフック部材５と第２のフック部材１０は前方視において、例えば図２に示すようにいわゆるたすきがけとなるように斜めに対向配置されている。
【００１０】
次に、このように構成された幅木１の使用方法について説明する。
図６〜図１１に示すように、建築現場において所定の間隔で立設された複数の金属製の支柱１１と、同支柱１１に対して直行する方向に延出され同支柱に片持ちに支持された梁部材としての複数の金属製のブラケット１２と、同ブラケット１２に足場の各階の床面としての踏板１３のフック１４が掛合されることによって架設された複数の金属製の踏板１３とが、連設されることによって被建築物の外壁Ｗに沿って足場が構築されているものとする。
尚、以下の説明において外とは図６において支柱１１よりも上方向を、内又は外壁Ｗ側とは同図における支柱１１より下方向を言うものとする。
図６に示すように、幅木１を支柱１１に対して矢印（ａ）の方向から内側より接近させ、幅木１後端側の第２のフック部材１０の開口部１０ａから同第２のフック部材１０を支柱１１に係合させる。この時一旦、仮想線に示すような外側の位置で係合状態となる。この時点では、図６の仮想線で示すように第１のフック部材５の湾曲部分と支柱とが嵌合可能なように、ロック板６が上方向に回動されており同湾曲部分が開放されているものとする。
次に、第２のフック部材１０が係合された支柱１１を支点として（つまり第２のフック部材１０が支柱１１の外周面に沿って）幅木１を矢印（ｂ）の方向に回動させる。すると、幅木１の前端側の第１のフック部材５が開口部５ａから支柱１１に係合される。尚、幅木本体２の左右方向の長さは支柱１１間隔よりも短く形成され、両フック部材５，１０の長さを含めてちょうど支柱１１間隔に相当することとなる。
この状態で、図７に示すように幅木１は底板部４が踏板１３の上に載置されるように配設される。
そして、図７および図８に示すように、ロック板６が六角ボルト８を支点として回動させ、切欠き７にロック板６の先端部が挿嵌させる。これによって幅木１が固定される。
この状態で六角ナット９を締付けることによって切欠き７に挿嵌されたロック板６が固装される。
このように配設された幅木１は図１１に示すように隣接する幅木の第１のフック部材５と第２のフック部材１０とが１つの支柱１１の上下方向に係合されながら連設されることとなる。
【００１１】
このように構成することにより本実施の形態１の幅木１は以下のような効果を奏する。
（１）作業者が踏板１３の上を移動する場合又は作業中に足の位置を動かす場合において、上記実施の形態の幅木１が配設されていることにより踏板１３から踏み外しにくくなる。従って建築作業に集中でき、作業の効率化を図ることができる。
（２）ロック板６は、支柱１１に係合されたフック部材５の切欠き７に挿嵌された状態でさらに六角ナット９を締付けることで回動不能とすることができ、作業者がロック板６に接触してロック板６が切欠き７から外れてしまうという不具合が防止できる。
（３）底板部４を踏板１３の上に載置させることで、幅木１の安定性が向上する。
（４）第１のフック部材５と第２のフック部材１０との支柱に係合される内周面の向きが９０度ズレているため、第１のフック部材５をロック板６によって離間不能に係合してしまうと幅木本体２が一種のつっかい棒となって第２のフック部材１０側もロック部材が併設されていなくとも支柱１１から外れることがない。つまり、第１のフック部材５側だけのロック板６によって幅木１を支柱１１間に固定することが可能となっている。
（５）図１１に示すように、隣接する幅木１の第１のフック部材５と第２のフック部材１０とを１つの支柱１１の上下方向にずれて係合させることができるため、複数の幅木１を連続的に配設させることが可能となっている。
【００１２】
（実施の形態２）
尚、以下の説明において前方または表とは図１２における下方向を、後方または裏とは同図における上方向を言うものとする。また、左とは図１３における左方向を、右とは同図における右方向を、上とは同図における上方向を、下とは同図における下方向を言うものとする。
図１２〜図１６に示すように、幅木１５は所定の厚みの鋼板を折り曲げ形成した外形直方体形状の中空の幅木本体１６を備えている。
幅木本体１６の左上端部には所定の支柱と係合するための係合部材としての第１のフック部材１７およびロック部材としてのロックフレーム１８が配設されている。また、幅木本体１６の左上面部には差込み穴２０が形成されている。
金属製の第１のフック部材１７は、板体をＵ字形状に曲げた湾曲部分の内周面を左方向に向けて、幅木本体１６の左上端部の表面に溶接によって固着されている。同湾曲部分は内周面の曲率が所定の支柱の外周面と略同一とされている。
また、同湾曲部分の外周面の表面側（前方側）には中空パイプ部１９が溶接によって固着されている。
金属製のロックフレーム１８は、上下に延びるパイプ挿入部１８ａと同パイプ挿入部１８ａの上部から湾曲状に延出された湾曲部１８ｂと同湾曲部１８ｂ先端から下方に向かって前記差込み穴２０に差込まれる差込み部１８ｃとを備えている。また、中空パイプ部１９に挿入されたロックフレーム１８のパイプ挿入部１８ａの下端部には外れ防止ピン２１が挿脱自在に配設されている。
幅木本体１６の右下端部には所定の支柱と係合するための係合部材としての第２のフック部材２２が配設されている。金属製の第２のフック部材２２は板体の一部をＵ字形状に曲げた湾曲部分の内周面を左方向に向けて、幅木本体１６の右下端部の表面に溶接によって固着されている。同湾曲部分は内周面の曲率が所定の支柱の外周面と略同一とされている。
図１２及び図１３に示すように第１及び第２のフック部材１７，２２の開口部１７ａ，２２ａの向きは幅木本体１６の左右長手方向と同方向となるように配置されている。
第１のフック部材１７と第２のフック部材２２は前方視において、例えば図１３に示すようにいわゆるたすきがけとなるように斜めに対向配置されている。
【００１３】
次に、このように構成された幅木１５の使用方法について説明する。
以下、上記実施の形態１と同じ足場において、図１７〜図２１に基づいて説明する。
尚、以下の説明において外とは図１７において支柱１１よりも上方向を、内又は外壁Ｗ側とは同図における支柱１１より下方向を言うものとする。
図１７に示すように、幅木１５を矢印（ａ）の内側方向から支柱１１に対して接近させ踏板１３の縁部と略平行に配置させ矢印（ｂ）の方向に移動させていく。なお、予めロックフレーム１８を図１７の仮想線で示すように回動させ第１のフック部材の開口部１７ａを支柱１１と嵌合可能なように開放させておくものとする。
次に、図１７において幅木１５を右方に移動させ第１及び第２のフック部材１７，２２の開口部１７ａ，２２ａ方向から各々支柱１１に係合させていく。
幅木本体１６の左右方向の長さは支柱間隔とほぼ同一とされているため図１８に示すように幅木１５は幅木本体１６の両下端部がブラケット１２の上に載置されるように配設される。
そして図１８および図１９に示すように、ロックフレーム１８を中空パイプ部１９に挿入されたパイプ挿入部１８ａを回動支軸として回動させ、差込部１８ｃを差込み穴２０に差込む。これによって幅木１５が固定される。
このように配設された幅木１５は、上記実施の形態１の図１１と同様に連設されることとなる。
【００１４】
このように構成することにより本実施の形態２の幅木１５は以下のような効果を奏する。
（１）作業者が踏板１３の上を移動する場合又は作業中に足の位置を動かす場合において、上記実施の形態の幅木１５配設されていることにより踏板１３から踏み外しにくくなる。従って建築作業に集中でき、作業の効率化を図ることができる。
（２）第１及び第２のフック部材１７，２２との支柱に係合される開口部１７ａ，２２ａの向きが幅木本体１６の左右長手方向と同方向とされているため、いずれか一方（ここでは第１のフック部材１７）をロックフレーム１８によって離間不能に係合してしまうと幅木本体１６が一種のつっかい棒となって第２のフック部材２２側もロック部材が併設されていなくとも支柱１１から外れることがない。つまり、第１のフック部材１７側だけのロックフレーム１８によって幅木１５を支柱１１間に固定することが可能となっている。
（３）ロックフレーム１８を回動させてロックフレーム１８の差込み部１８ｃを差込み穴２０に嵌入してしまえば作業者がうっかりと差込み部１８ｃに接触することはなくなるため差込み部１８ｃが差込み穴２０から外れてしまうという不具合が防止できる。
（４）幅木本体１６の左右方向の長さは支柱間隔とほぼ同一なので、連設された足場において隣接する幅木間の間隙がほぼなくなるとともに、幅木本体１６の表面部分が繋がるように連続に配置されることとなる。
（５）図１１に示すように、隣接する幅木１の第１のフック部材１７と第２のフック部材２２とを１つの支柱１１の上下方向にずれて係合させることができるため、複数の幅木１を連続的に配設させることが可能となっている。
【００１５】
なお、この発明は前記実施の形態に限定されるものではなく、次のように変更して具体化することも可能である。
（実施の形態１における他の態様）
・幅木本体２はＬ字形状でなくてもよく、形状、大きさ自由とする。また、背板部３を踏板１３のように網状体で構成するようにしてもよい。このように構成すれば風の抵抗が少なくなる。
・上記実施の形態では幅木本体２は背板部３と底板部４からなるとしたが、本発明の目的を達成できればその他の態様でも構わない。
・第１のフック部材５および第２のフック部材１０の背板部３への配設位置は自由とする。
・第１のフック部材５および第２のフック部材１０の背板部３への固着方法は溶接としたがその他の固着方法でも構わない。
・ロック板６は板形状でなくてもよく、形状、大きさは自由とする。
・ロック板６の背板部３への配設位置は自由とする。
・ロック板６の配設方法として上記実施の形態では、第１のフック部材５とによって背板部３を挟むようにして背板部３の表面に背板部３と平行に配設されているとしたが、第１のフック部材５の表側平坦部に、上記実施の形態と同様に六角ボルト８及び六角ナット９によって回動自在に支持されるように配設しても構わない。
・ロック板６は上記実施の形態では、六角ボルト８及び六角ナット９によって回動自在に支持されているとしたが、ピンやシャフト等を用いたその他の支持方法でも構わない。ただし、回動自在であることおよびロック板が固装される手段を備えていることが望ましい。
・切欠き７の形状、大きさは自由とするが、ロック板６の一部が挿嵌される形状となっていることが望ましい。
【００１６】
（実施の形態２における他の態様）
・幅木本体１６は板形状でなくてもよく、形状、大きさ自由とする。
・第１のフック部材１７および第２のフック部材２２の幅木本体１６への配設位置は自由とする。
・第１のフック部材１７および第２のフック部材２２の幅木本体１６への固着方法は溶接としたがその他の固着方法でも構わない。
・ロックフレーム１８の形状、大きさは自由とする。
・ロックフレーム１８の配設位置、配設方法は自由とする。
・ロックフレーム１８は、上下に延びるパイプ挿入部と同パイプ挿入部の上部から湾曲状に延出された湾曲部と同湾曲部先端から下方に向かって前記差込み穴２０に差込まれる差込み部とを備えているとしたが、本発明の目的を達成できればその他の態様でも構わない。
・中空パイプ１９は形状、大きさは自由とするが、ロックフレーム１８のパイプ挿入部が挿入されるような態様が望ましい。
・外れ防止ピン２１の有無は自由とするが、外れ防止ピン２１を備えている態様が望ましい。
・外れ防止ピン２１はピン形状でなくてもよく、ボルトとナットの組合せ等本発明の目的を達成できればその他の態様でもかまわない。ただしロックフレーム１８のパイプ挿入部の下端部に挿脱自在に配設されている態様が望ましい。
【００１７】
（実施の形態１、実施の形態２に共通の他の態様）
・第１のフック部材５，１７および第２のフック部材１０，２２は所定の支柱１１と係合可能であれば、形状、大きさは自由とする。
・幅木１又は幅木１５が所定の支柱１１に係合される手段として、幅木本体２又は幅木本体１６と一体成型された係合部を備えている態様でも構わない。
・幅木本体２、幅木本体１６等の各部材の材質は金属製としたが、本発明の目的を達成できればその他の素材でも構わない。
・上記実施の形態では幅木１又は幅木２と所定の支柱１１とを係合した際のロック手段として第１のフック部材５，１７側にロック手段を配設したが、ロック手段を第２のフック部材１０，２２側に配設する態様や、図２２に示すようにロック手段を第１のフック部材５，１７及び第２のフック部材１０，２２の両側に配設するようにしてもよい。
・上記実施の形態では幅木１又は幅木１５の使用方法として、建築現場において所定の間隔で立設された複数の金属製の支柱１１と、同支柱１１に対して直行する方向に延出され同支柱に片持ちに支持された梁部材としての複数の金属製のブラケット１２と、同ブラケット１２に足場の各階の床面としての踏板１３のフック１４が掛合されることによって架設された複数の金属製の踏板１３とが、連設されることによって被建築物の外壁Ｗに沿って足場が構設されているものとしたが、幅木１および幅木１５を使用できる足場の態様は上記実施の形態に限定されない。
その他、本発明の趣旨を逸脱しない態様で実施することは自由である。
【００１８】
本発明の目的を達成するために上記実施の形態から把握できるその他の技術的思想について下記に付記として説明する。
（１）  前記第２の係合部材の内周面は前記係合される円形外周面とされた前記支柱を軸として周回回動可能なように曲面状に形成されたフック部材であることを特徴とする請求項１記載の建築足場用幅木。
これによって支柱を軸として第２の係合部材を介して幅木本体を回動させることができ、建築足場用幅木の取り付け作業が迅速化する。
（２）  前記いずれか一方の側端部又は側端部付近に配設された前記第１及び第２の係合部材のいずれか一方に対して、いずれか他方の係合部材はいずれか他方の側端部の前記一方の係合部材の配置位置よりも下部側に配置されることを特徴とする付記１に記載の建築足場用幅木。
（３）  前記幅木本体下部から前記踏み板上に載置される側方に張り出し形成された張り出し部が形成されていることを特徴とする付記１又は２に記載の建築足場用幅木。
（４）  所定間隔で立設配置された複数の支柱と、同支柱と交差するように配設された複数の梁部材と、同梁部材又は同支柱に対して架設された通路用の踏み板とから基本的骨格が構築された建築足場における前記踏み板の縁部に沿った足元位置に配置される建築足場用幅木であって、同幅木を、
所定間隔をおいて配置された第１及び第２の前記支柱間に配置される長尺に形成された幅木本体と、
同幅木本体の長手方向の両側端部又は両側端部付近に同第１及び第２の支柱とそれぞれ係合可能な少なくとも第１及び第２の２つのフック部材とを備え、
前記第１のフック部材の開口部を前記幅木本体側を向くように配置させるとともに、前記第２のフック部材の開口部を同第１のフック部材の開口部と略同一方向を向いて配置させ、いずれか一方の同フック部材には前記支柱と係合した状態で同フック部材の同支柱からの離間を不能とするロック部材を併設するようにし、前記幅木本体を第１及び第２の前記支柱に配設された第１及び第２の前記梁部材同梁部材の長手方向中央又は長手方向中央よりも少なくとも内側位置にて支持させるようにしたことを特徴とする建築足場用幅木の取り付け構造。
【００１９】
【図面の簡単な説明】
【図１】本発明の実施の形態１の幅木の平面図。
【図２】同じ幅木の正面図。
【図３】同じ幅木の側面図。
【図４】同じ幅木の斜視図（前方）。
【図５】同じ幅木の斜視図（後方）。
【図６】同じ幅木の、配設方法を説明する概念平面図。
【図７】同じ幅木が支柱に対して係合された状態の要部斜視図。
【図８】同じ幅木が支柱に対して係合された後ロックされた状態の要部斜視図。
【図９】同じ幅木が配設された状態の正面図。
【図１０】同じ幅木が配設された状態の側面図。
【図１１】同じ幅木が所定の足場に連設された状態の正面図。
【図１２】本発明の実施の形態２の幅木の平面図。
【図１３】同じ幅木の正面図。
【図１４】同じ幅木の側面図。
【図１５】同じ幅木の斜視図（前方）。
【図１６】同じ幅木の斜視図（後方）。
【図１７】同じ幅木の、配設方法を説明する概念平面図。
【図１８】同じ幅木が支柱に対して係合された状態の要部斜視図。
【図１９】同じ幅木が支柱に対して係合された後ロックされた状態の要部斜視図。
【図２０】同じ幅木が配設された状態の正面図。
【図２１】同じ幅木が配設された状態の側面図。
【図２２】本発明の実施の形態１の幅木の別例（ロック手段が第１及び第２の係合部材の両側に配設された態様）の平面図。
【符号の説明】
１、１５…足場用幅木、２、１６…幅木本体、５、１７…第１の係合部材としての第１のフック部材、６…ロック板、１０、２２…第２の係合部材としての第２のフック部材、１１…支柱、１２…ブラケット、１３…踏板、１８…ロックフレーム、Ｗ…被建築部の外壁。
【図１】
2004156396.tif 000003
【図２】
2004156396.tif 000004
【図３】
2004156396.tif 000005
【図４】
2004156396.tif 000006
【図５】
2004156396.tif 000007
【図６】
2004156396.tif 000008
【図７】
2004156396.tif 000009
【図８】
2004156396.tif 000010
【図９】
2004156396.tif 000011
【図１０】
2004156396.tif 000012
【図１１】
2004156396.tif 000013
【図１２】
2004156396.tif 000014
【図１３】
2004156396.tif 000015
【図１４】
2004156396.tif 000016
【図１５】
2004156396.tif 000017
【図１６】
2004156396.tif 000018
【図１７】
2004156396.tif 000019
【図１８】
2004156396.tif 000020
【図１９】
2004156396.tif 000021
【図２０】
2004156396.tif 000022
【図２１】
2004156396.tif 000023
【図２２】
2004156396.tif 000024